(57)【要約】【課題】コネクタをテープ巻きした場合のテープがずれないようにする。【解決手段】ワイヤハーネスＷＨに対してコネクタをテープ巻きして固定する場合において、コネクタハウジング１の上面の両端部に、テープＴの巻き付け方向と略直交する方向に上面側リブ９を突出形成する。テープ巻きする場合に、巻き幅が上面側リブ９より広めとなるようにする。これにより、上面側リブ９の延出方向の両端端部がテープＴに対する引っ掛かり部位となるため、テープＴが上面側リブ９の延出方向にずれてしまう事態を防止することができる。【選択図】図９
2015198005.tif 000002
【特許請求の範囲】
【請求項１】
複数のコネクタハウジング同士が連結可能なコネクタであって、
前記コネクタハウジングの外面に設けられ前記コネクタハウジング同士を連結可能とする連結部と、
前記コネクタハウジングの外面において前記連結部を挟んだ両側に突設され、前記コネクタハウジング同士が連結されたときに連結相手である前記コネクタハウジング側に突き当て可能となる保持部とを備えていることを特徴とするコネクタ。
【請求項２】
前記保持部は、前記両コネクタハウジングが連結されたときの対向面の双方に突設され、これらの突出高さは前記連結部より低くなっていることを特徴とする請求項１に記載のコネクタ。
【請求項３】
請求項１又は請求項２に記載のコネクタを、ワイヤハーネスに対してテープ巻きによって固定するワイヤハーネスに対するコネクタの固定構造であって、
前記保持部は、前記テープの巻き付け方向と略直交する方向に延出して前記コネクタハウジングの外面から突出するリブであり、
前記コネクタは前記ワイヤハーネスに対し、前記テープの巻き幅が前記リブの延出方向の長さより大きくなるようにテープ巻きされて、前記リブの延出端部が前記テープに対する前記延出方向への引っ掛かり部位となることを特徴とするワイヤハーネスに対するコネクタの固定構造。
【発明の詳細な説明】
【技術分野】
【０００１】
本発明は、コネクタ及びワイヤハーネスに対するコネクタの固定構造に関するものである。
【背景技術】
【０００２】
従来より、コネクタハウジングの外面に連結手段を形成して、コネクタハウジング同士を連結させて合体する形式のコネクタが知られている。そのようなコネクタとして、下記特許文献１に開示のコネクタが知られている。このものでは、コネクタハウジングの上下面及び左右両側面の片側の面に雌型の連結部を設け、反対側の面に雄型の連結部を設けている。そして、雄型の連結部を雌型の連結部内に嵌め合わせて係止させることで、コネクタハウジングを上下方向あるいは左右方向へ接続可能となっている。
【先行技術文献】
【特許文献】
【０００３】
【特許文献１】特開平８−３２１３４８号公報
【発明の概要】
【発明が解決しようとする課題】
【０００４】
上記したコネクタは、比較的極数が少ないため、雌雄の連結部の嵌め合い構造はこれらが形成されている面のほぼ全幅に亘っている。したがって、連結状態にあるコネクタハウジングの対向面同士は略全面が当接し合う関係となっており、がたつきが生じにくい状態となっている。
【０００５】
しかし、仮に、コネクタの極数が増えてコネクタハウジングが一方向へ長大化すると、雌雄の連結部の嵌め合い構造は、これらが形成されている面の一部に設けられることになり、コネクタハウジングの対向面同士が当接し合う領域が一部領域に限定されてしまう関係となる。したがって、コネクタハウジング同士が傾きを生じやすくなる等、連結状態が不安定化してしまう虞があった。
【０００６】
本発明は上記のような事情に基づいて完成されたものであって、その目的とするところは、相互を安定的に連結できるコネクタを提供すること、及びワイヤハーネスに対してテープ巻きした場合に安定的に固定できるコネクタの固定構造を提供することである。
【課題を解決するための手段】
【０００７】
第１の発明に係るコネクタは、複数のコネクタハウジング同士が連結可能なコネクタであって、コネクタハウジングの外面に設けられコネクタハウジング同士を連結可能とする連結部と、コネクタハウジングの外面において連結部を挟んだ両側に突設され、コネクタハウジング同士が連結されたときに連結相手であるコネクタハウジング側に突き当て可能となる保持部とを備えていることを特徴とする。
【０００８】
また、第２の発明に係るワイヤハーネスに対するコネクタの固定構造は、前記保持部が、テープの巻き付け方向と略直交する方向に延出して前記コネクタハウジングの外面から突出するリブであり、コネクタはワイヤハーネスに対し、テープの巻き幅がリブの延出方向の長さより大きくなるようにテープ巻きされて、リブの延出端部がテープに対する延出方向への引っ掛かり部位となることを特徴とする。
【発明の効果】
【０００９】
第１発明に係るコネクタは、複数のコネクタハウジングが連結部を介して連結可能である。この連結状態では、コネクタハウジングの外面において連結部を挟んで両側に設けられた保持部が連結相手となるコネクタハウジング側に突き当てられた状態となっている。したがって、コネクタハウジング同士が連結された状態で傾斜姿勢になろうとしても、保持部による支持によって、コネクタハウジング同士が傾斜姿勢になることが規制されている。その結果、コネクタの連結姿勢を安定化させることができる。
【００１０】
第２の発明に係るワイヤハーネスに対するコネクタの固定構造は、ワイヤハーネスにテープ巻きしてコネクタを固定するに際し、テープの巻き幅がリブの延出方向への長さよりも広いため、リブの延出端部がテープに対する引っ掛かりとなって、テープがリブの延出方向にずれてしまう事態を防止することができる。したがって、ワイヤハーネスに対するコネクタの固定を確実なものとすることができる。
【図面の簡単な説明】
【００１１】
【図１】コネクタの正面図
【図２】同じく平面図
【図３】同じく底面図
【図４】同じく右側面図
【図５】同じく左側面図
【図６】コネクタの連結状態を示す正面図
【図７】連結部のロック構造を拡大して示す断面図
【図８】ワイヤハーネスにコネクタをテープ巻きして固定している状態を示す平面図
【図９】同じく正面図
【発明を実施するための形態】
【００１２】
本発明における好ましい実施の形態を説明すると、本発明のコネクタは、前記保持部は、前記両コネクタハウジングが連結されたときの対向面の双方に突設され、これらの突出高さは前記連結部より低くなっている。したがって、連結部によって保持部が異物による損傷から保護される、という効果が発揮される。また、コネクタをワイヤハーネスにテープ巻きする場合にも、連結部の両側に位置する保持部の高さが低いため、テープを連結部及び保持部に対し浮きを生じることなく密接させた状態で巻き付けを行うことができる。また、保持部は連結状態のコネクタの対向面の双方に突設したため、ワイヤハーネスへの装着面はこれら対向面のいずれを選択しても上記の効果を得ることができる。
【００１３】
次に、本発明のコネクタを具体化した実施例について、図面を参照しつつ説明する。
本実施例のコネクタはジョイントコネクタであり、合成樹脂製のコネクタハウジング１を有している。コネクタハウジング１は角筒状に形成されたフード部２を有しており、図示しない相手コネクタが嵌合可能である。図１に示すように、フード部２は縦寸法より横寸法の方が長い横長に形成され、前方へ向けて開放している。フード部２内にはジョイント端子３が上下２段に組込まれている。ジョイント端子３は複数のタブ状端子の一端側を連結した形態であり、他端は水平方向に並列されてフード部２内に突出している。
【００１４】
コネクタハウジング１の上下両面及び左右両側面のそれぞれにはコネクタハウジング１同士を連結するための連結部ＦＪ，ＭＪが設けられている。このうち、上面（図２参照）と右側面（図４参照）には雄型連結部ＭＪが配され、下面（図３参照）と左側面には雌型連結部ＦＪが配されている。これら雌型あるいは雄型連結部ＦＪ，ＭＪは連結相手となるコネクタハウジング１の雄型あるいは雌型連結部ＦＪ，ＭＪと係止可能であり、これによって、図６に示すようにしてコネクタハウジング１同士を連結させることができる。次に、コネクタハウジング１の各面の構成を説明する。
【００１５】
図２に示すように、コネクタハウジング１の上面であって、左右方向に関する中央部には雄型連結部ＭＪが配されている。雄型連結部ＭＪは雌雄コネクタの嵌合方向に沿って延びる一対の連結壁４を有している。両連結壁４はフード部２の開口面から少し奥側の位置を始端として嵌合方向に沿って平行に延び、コネクタハウジング１の後端の少し手前の位置まで延出している。両連結壁４はコネクタハウジング１の上面から立ち上がる基部４Ａと基部４Ａの立ち上がり端部から外方へ張り出すフランジ壁４Ｂとからなっている。両連結壁４の奥端部間は連結され、この連結部分には係止アーム５が接続されている。係止アーム５は両連結壁４と略平行の向きで嵌合面側へ向けて片持ち状に延出し、撓み変形可能に形成されている。また、係止アーム５の上面の中央部には上向きにロック爪５Ａが突出形成され、先端部はロック解除部５Ｂとなって延出している。
【００１６】
図２に示すように、コネクタハウジング１の上面における嵌合面寄りであって、両連結壁４を左右方向で挟む位置には、一対の縦突条６が突設されている。両縦突条６は嵌合方向に沿って延出するとともに、途中で内向きに横突条７が張り出して連結壁４に接続されるようにしている。なお、この実施例では、嵌合面の開口縁から連結壁４の前端に至るまでの間に延出する一対の中央突条８が突出している。これら突条６〜８により、フード部２の開口縁部が補強されてコネクタハウジング１同士の連結強度を高められている。
【００１７】
また、図２に示すように、コネクタハウジング１の上面における幅方向両端部寄りで、かつ嵌合方向に関する中央部には一対の上面側リブ９（保持部）が突出形成されている。両上面側リブ９は嵌合方向に沿って延出し、所定長さ範囲に亘って設けられている。両上面側リブ９は前記した各突条より僅かに高く形成されるが、両連結壁４より低い突出高さをもって形成されている。また、上面側リブ９の上面は平坦面となっている。
【００１８】
図３に示すように、コネクタハウジング１の下面であって、左右方向に関する中央部には雌型連結部ＦＪが配されている。雌型連結部ＦＪはコネクタの嵌合方向に沿って延びる一対の案内壁１０を有している。両案内壁１０は、コネクタハウジング１の嵌合面からやや奥方に引っ込んだ位置を始端としてコネクタハウジング１の奥端部に至るまでの長さをもって形成されている。また、両案内壁１０はコネクタハウジング１の下面から突出する側壁１０Ａと、この側壁１０Ａの突出端から内向きに張り出す天井壁１０Ｂとより断面略逆Ｌ字形状をなして形成されている。両案内壁１０の間の間隔は、その内側にコネクタハウジング１の上面に形成された雄型連結部ＭＪの両連結壁４を嵌め入れ可能な設定としてある。また、両案内壁１０は嵌合面側へ向けて開放するように形成されているが、奥端部にはストッパ壁１０Ｃが内向きに張り出している。このストッパ壁１０Ｃは雌雄の連結部ＦＪ，ＭＪが連結されたときに、雄型連結部ＭＪの連結壁４の奥端部と当接可能となっている。さらに、両案内壁１０の間で、嵌合方向及び左右方向のそれぞれの中央部には係止突部１１が突出形成されている。この係止突部１１は雌雄の連結部ＦＪ，ＭＪが連結されたときに、係止アーム５と係止して、コネクタハウジング１同士が分離しないようにロックする。
【００１９】
また、コネクタハウジング１の下面における嵌合面寄りであって、両案内壁１０の左右方向外側位置には一対の縦突条１２が突設されている。両縦突条１２の途中には内向きに横突条１３が張り出すようにして突出され、両案内壁１０の側壁１０Ａに接続されている。これら突条１２，１３によって、フード部２の開口縁部が補強され前記した上面側の各突条６〜８との協働により、コネクタハウジング１同士の連結強度が高められている。
【００２０】
なお、コネクタハウジング１の下面側に形成された両縦突条１２の間隔は、上面側に形成された両突条６の間隔より広目に設定されている。
【００２１】
さらに、コネクタハウジング１の下面における幅方向両端部寄りで、かつ嵌合方向に関する中央部には一対の下面側リブ１４（保持部）が突出形成されている。両下面側リブ１４は嵌合方向に沿って延出し、所定長さ範囲に亘って設けられている。両下面側リブ１４は前記した各突条より僅かに高く形成されるが、両案内壁１０より低い突出高さをもって形成されている。また、下面側リブ１４の上面は平坦面となっている。両下面側リブ１４は上面側リブ９とほぼ同一の突出高さをもって形成され、かつ上面側リブ９と上下で対応する位置に配されている。そして、図６に示すように、両コネクタハウジング１が連結された状態では、上下で対応する上面側リブ９と下面側リブ１４とは全長に亘って互いに突き当てられた状態となる。
【００２２】
なお、このように上面側リブ９と下面側リブ１４とが突き当て状態にあるときには、両連結壁４の上面が案内壁１０の天井壁１０Ｂの内面に押し付け力が作用するような設定としてある。
【００２３】
図４に示すように、コネクタハウジング１の右側面には雄型連結部ＭＪが配されている。この雄型連結部ＭＪは、コネクタハウジング１の上面に設けられたものと同一の構成であるため、説明は省略する。
【００２４】
一方、図５に示すように、コネクタハウジング１の左側面には雌型連結部ＦＪが配されている。この雌型連結部ＦＪはコネクタハウジング１の下面に設けられたものと同一の構成であるため、説明は省略する。但し、コネクタハウジング１の左側面に設けられた雌型連結部ＦＪは、同面のほぼ全幅範囲に亘って設けられている。
【００２５】
次に、上記のように構成されたコネクタを連結させる場合について説明する。コネクタを上下で連結させる場合には、まず、連結対象となる二つのコネクタを上下に位置させ、かつ嵌合方向にずらして位置させ、コネクタハウジング１の上面に設けられた雄型連結部ＭＪの後端部を、コネクタハウジング１の下面に設けられた雌型連結部ＦＪ（両案内壁１０）の開口側（嵌合面側）に適合させる。この状態で、両コネクタを嵌合方向に沿ってスライド（図７参照）させると、両連結壁４が両案内壁１０に案内されながら案内壁１０の奥部にまで嵌まり込む。そして、両連結壁４の後端が雌型連結部ＦＪのストッパ壁１０Ｃに当接する深さまで雌雄の連結部ＦＪ，ＭＪが嵌り合うと、係止アーム５と係止突部１１とが係止するため、上下のコネクタハウジング１同士は嵌合方向前方あるいは後方のいずれの方向にも移動が規制される結果、上下のコネクタハウジング１同士は分離不能な状態で連結される。
【００２６】
雌雄連結部ＦＪ，ＭＪが嵌り合い動作をする間、対応位置にある上面側リブ９と下面側リブ１４とが摺接し合うため、この間において上下のコネクタハウジング１が左右方向で傾斜姿勢となってしまうことがなく、上記嵌り合い動作を円滑に行うことができる。上下のコネクタハウジング１が連結された状態で、いずれかのコネクタハウジング１に斜め方向から押圧力が作用しても、上面側リブ９と下面側リブ１４との当接により上下のコネクタハウジング１が傾斜姿勢となることが回避される。したがって、上下のコネクタハウジング１間の連結状態を安定化させることができる。
【００２７】
また、上面側リブ９及び下面側リブ１４は共に雌雄連結部ＦＪ，ＭＪの高さより低く形成されているため、連結部ＦＪ，ＭＪによって異物との当接から保護される、という効果が得られる。
【００２８】
ところで、上記コネクタにおいては、図８、図９に示すように、ワイヤハーネスＷＨから分岐する電線に接続され、ワイヤハーネスＷＨに対してテープ巻きによって固定される、といった使用形態がある。
【００２９】
コネクタにテープ巻きされる場合、テープＴはコネクタ同士の嵌合方向と略直交する方向に巻かれる。また、テープＴの巻き幅は少なくとも上面側リブ９と下面側リブ１４の延出方向の長さより大きく、本実施例ではコネクタハウジング１の嵌合方向の略全長に亘る範囲としてある。テープＴは、コネクタ及びワイヤハーネスＷＨに対して緊張状態で巻き付けられる。その結果、図９に示す側面視では、テープＴは雄型連結部ＭＪからコネクタハウジング１の左右両側面に至るまでの間に、両上面側リブ９において僅かに突き上げられた状態となっている。このため、図８に示す平面視で、テープＴは両上面側リブ９における両延出端部を境としてこれより前方あるいは後方で下り勾配となる。つまり、上面側リブ９の両延出端部がテープＴに対する前後方向（嵌合方向）の引っ掛かり部位となる。したがって、巻き付けられたテープＴはこの引っ掛かりによって嵌合方向の前方あるいは後方へのずれ止めがなされることになる。その結果、ワイヤハーネスＷＨに対するコネクタの固定を確実なものとすることができる。
【００３０】
また、前述したように、上面側リブ９が雄型連結部ＭＪより低く形成されている。仮に、上面側リブ９が雄型連結部ＭＪより高く形成されていると、テープ巻きした場合に、テープＴと雄型連結部ＭＪとの間で浮きを生じてしまい、コネクタの保持力が低下してしまうが、本実施例によればテープＴを雄型連結部ＭＪ、両上面側リブ９に対し確実に密接させることができる。加えて、本実施例ではコネクタハウジング１の上下両面にリブ９，１４を形成し、コネクタ同士が連結されたときに双方のリブ９，１４を突き当て合う関係とした。したがって、図８に示すように、コネクタを連結させることなく単独でワイヤハーネスＷＨに固定する場合に、コネクタハウジング１の上下いずれの面をワイヤハーネスＷＨに当接させても、リブ９，１４による引っ掛け機能が発揮されてテープ巻き状態を安定化させることができる。
【００３１】
＜他の実施例＞
本発明は上記記述及び図面によって説明した実施例に限定されるものではなく、例えば次のような実施例も本発明の技術的範囲に含まれる。
（１）上記実施例ではリブ９，１４をコネクタハウジング１の上下両面に突設させたが、片側の面にのみ設けるようにしてもよい。
（２）上記実施例では、ジョイント端子３を組み込んだジョイントコネクタを例示したが、コネクタの形式は問わない。本発明は、通常の端子を組み込んだものにも適用可能である。
（３）上記実施例では、コネクタハウジング１の上下面にリブ９，１４を一対ずつ設けたが、複数対設けてもよい。また、各リブ９，１４は嵌合方向に沿って複数個に分離して形成されるようにしてもよい。
【符号の説明】
【００３２】
１…コネクタハウジング
９…上面側リブ（保持部）
１４…下面側リブ（保持部）
ＦＪ…雌型連結部
ＭＪ…雄型連結部
ＷＨ…ワイヤハーネス
Ｔ…テープ
【図１】
2015198005.tif 000003
【図２】
2015198005.tif 000004
【図３】
2015198005.tif 000005
【図４】
2015198005.tif 000006
【図５】
2015198005.tif 000007
【図６】
2015198005.tif 000008
【図７】
2015198005.tif 000009
【図８】
2015198005.tif 000010
【図９】
2015198005.tif 000011